(57)【要約】【課題】  簡単な操作で、所望のイメージのグラフを、短時間で、確実に作成することが可能なグラフ作成装置、グラフ作成方法、およびプログラムを提供すること。【解決手段】  実施形態のグラフ作成装置は、予め提供されている複数のグラフのおのおのに対応する各テンプレートを、ディスプレイから表示するテンプレート表示部と、表示された各テンプレートから、所望のテンプレートを指定する指定入力を受け付ける第１の入力受付部と、指定入力によって指定されたテンプレートに関連付けられたデータテーブルを、ディスプレイから表示するデータテーブル表示部と、表示されたデータテーブルへ入力されるデータを受け付ける第２の入力受付部と、指定されたテンプレートに、データを反映してグラフを作成するグラフ作成部と、作成されたグラフを、ディスプレイから表示するグラフ表示部とを備えている。【選択図】図１
2020135728.tif 000002
【特許請求の範囲】
【請求項１】
予め提供されている複数のグラフのおのおのに対応する各テンプレートを、ディスプレイから表示するテンプレート表示部と、
前記表示された各テンプレートから、所望のテンプレートを指定する指定入力を受け付ける第１の入力受付部と、
前記指定入力によって指定されたテンプレートに関連付けられたデータテーブルを、前記ディスプレイから表示するデータテーブル表示部と、
前記表示されたデータテーブルへ入力されるデータを受け付ける第２の入力受付部と、
前記指定されたテンプレートに、前記データを反映してグラフを作成するグラフ作成部と、
前記作成されたグラフを、前記ディスプレイから表示するグラフ表示部と
を備えた、グラフ作成装置。
【請求項２】
前記テンプレート表示部は、前記各テンプレートに対応するグラフのイメージを、前記ディスプレイから表示することによって、前記各テンプレートを、前記ディスプレイから表示する、請求項１に記載のグラフ作成装置。
【請求項３】
前記各テンプレートは、新聞記事に使用される定型的なグラフに対応するテンプレートを含む、請求項１または２に記載のグラフ作成装置。
【請求項４】
前記グラフ表示部は、前記作成されたグラフを、付加情報とともに前記ディスプレイから表示し、
前記作成されたグラフを、前記ディスプレイから表示しながら、前記付加情報を編集するための編集部をさらに備えた、請求項１乃至３のうち何れか１項に記載のグラフ作成装置。
【請求項５】
前記付加情報は、前記グラフのタイトル、前記グラフの軸の単位、および前記データの項目名のうちの少なくとも何れかを含む、請求項４に記載のグラフ作成装置。
【請求項６】
前記付加情報の編集は、前記付加情報の内容の変更、書式の変更、および表示場所の変更を含む、請求項４または５に記載のグラフ作成装置。
【請求項７】
前記指定されたテンプレートと、前記テンプレートに関連付けられたデータテーブルと、前記データテーブルへ入力されたデータとを関連付けて、記憶装置に記憶する記憶制御部をさらに備えた、請求項１乃至６のうち何れか１項に記載のグラフ作成装置。
【請求項８】
前記関連付けて前記記憶装置に記憶された前記テンプレート、前記データテーブル、および前記データに基づいて、前記作成されたグラフを復元するグラフ復元部をさらに備えた、請求項７に記載のグラフ作成装置。
【請求項９】
予め提供されている複数のグラフのおのおのに対応する各テンプレートを、ディスプレイから表示することによって、ユーザに、テンプレートの選択を促し、
前記ユーザによって選択されたテンプレートを指定する指定入力を受け取り、
前記指定入力によって指定されたテンプレートに関連付けられたデータテーブルを、前記ディスプレイから表示することによって、前記ユーザに、前記データテーブルへのデータの入力を促し、
前記ユーザによって、前記データテーブルへ入力されたデータを受け取り、
前記指定されたテンプレートに、前記データを反映してグラフを作成し、
前記作成されたグラフを、前記ディスプレイから表示する、
グラフ作成方法。
【請求項１０】
前記各テンプレートを、前記ディスプレイから表示することは、前記各テンプレートに対応するグラフのイメージを、前記ディスプレイから表示することを含む、請求項９に記載のグラフ作成方法。
【請求項１１】
前記各テンプレートは、新聞記事に使用される定型的なグラフに対応するテンプレートを含む、請求項９または１０に記載のグラフ作成方法。
【請求項１２】
前記作成されたグラフを、前記ディスプレイから表示することは、前記作成されたグラフを、付加情報とともに前記ディスプレイから表示することを含み、
前記作成されたグラフを、前記ディスプレイから表示しながら、前記付加情報を編集可能とした、請求項９乃至１１のうち何れか１項に記載のグラフ作成方法。
【請求項１３】
前記付加情報は、前記グラフのタイトル、前記グラフの軸の単位、および前記データの項目名のうちの少なくとも何れかを含む、請求項１２に記載のグラフ作成方法。
【請求項１４】
前記付加情報の編集は、前記付加情報の内容の変更、書式の変更、および表示場所の変更を含む、請求項１２または１３に記載のグラフ作成方法。
【請求項１５】
前記指定されたテンプレートと、前記テンプレートに関連付けられたデータテーブルと、前記データテーブルへ入力されたデータとを関連付けて、記憶装置に記憶する、請求項９乃至１４のうち何れか１項に記載のグラフ作成方法。
【請求項１６】
前記関連付けて前記記憶装置に記憶された前記テンプレート、前記データテーブル、および前記データに基づいて、前記作成されたグラフを復元する、請求項１５に記載のグラフ作成方法。
【請求項１７】
予め提供されている複数のグラフのおのおのに対応する各テンプレートを、ディスプレイから表示する機能、
前記ディスプレイから表示された各テンプレートのうち、選択されたテンプレートを指定する指定入力を受け取る機能、
前記指定入力によって指定されたテンプレートに関連付けられたデータテーブルを、前記ディスプレイから表示する機能、
前記データテーブルへ入力されたデータを受け取る機能、
前記指定されたテンプレートに、前記データを反映してグラフを作成する機能、
前記作成されたグラフを、前記ディスプレイから表示する機能、
をプロセッサに実現させるためのプログラム。
【発明の詳細な説明】
【技術分野】
【０００１】
本発明は、例えば、新聞や雑誌（紙媒体、電子媒体とも）に掲載されるグラフ（新聞や雑誌での要件に最適化された棒グラフ・折れ線グラフ・株価チャートなどの図表）を作成するために好適なグラフ作成装置、グラフ作成方法、およびプログラムに関する。
【背景技術】
【０００２】
従来、Microsoft社製のExcel（登録商標）等のスプレッドシート式ソフトウェアでは、データテーブルからグラフを作成する機能が備えられていることが知られている。
【０００３】
しかしながら、この機能では、グラフは、設定がすべて終わってからでなければ表示されないので、ユーザは、グラフ設定に必要なすべての入力を終えなければ、グラフの最終的なイメージ（見栄え）を確認することができない。
【０００４】
このため、ユーザは、最終的な見栄えが、希望のイメージに合致するまで、グラフの線や、棒の大きさ、形状、色合いのみならず、凡例の大きさや、フォント、位置などといった細かな書式の設定と、表示による確認とを何度も繰り返さねばならない。
【０００５】
このような操作は、煩わしいのみならず、慣れていなければ、それだけ時間もかかってしまう。グラフは、紙媒体あるいは電子媒体であるに関わらず、新聞や雑誌の記事とともに多く掲載される。上記を鑑み、例えば新聞社では、グラフ作成は、記者やデスクが行うのではなく、専門のデザイナーによって作成されている。
【０００６】
具体的には、記者が、グラフのイメージおよび必要なバックデータをデスクに提供することによってグラフ作成を要請し、デスクがそれを整理部に伝え、整理部がデザイナーに指示することによって、グラフが作成されている。デザイナーは、グラフの作成に熟練しているものの、このように間に複数の人員が介在することによって、記者がグラフ作成を要請してから、実際にグラフが完成するまでに、約１時間を要している。これでは、速報記事にグラフ作成が追い付かない。
【０００７】
このような状況であるが故に、以下のような問題点が山積している。
【０００８】
記者は、データがあるのに、自分ではグラフを作成することができない。また、小さなグラフなのに、完成までに予想以上の時間がかかってしまう。これにより業務上の負荷が増え、時間的な損失も生じる。
【０００９】
一方、デスクは、デザイナーから仕上がってきたグラフに対して修正したい場合、たとえそれが軽微な修正であっても、自分で修正することができず、再度デザイナーに依頼せねばならず、業務上の負荷が増え、時間的な損失も生じる。
【００１０】
また、デザイナーとしても、グラフ作成という単純な作業に忙殺されてしまい、本来なすべきクリエイティブな仕事に集中できず、ジレンマを感じる。また、現状のグラフ作成ツールは修正に対する柔軟性が低いために、例えば、サイズを変えるだけの単純な修正であっても、相当の手間がかかり、ストレスを感じている。また業務上の負荷が増え、時間的な損失も生じる。
【００１１】
近年、新聞や雑誌の記事も、電子化が進んでおり、記事のみならず、記事とともに掲載されるグラフの作成にも、より一層の即応性が要求されている。このような事情を鑑みると、グラフの作成時間の短縮化、作成作業の容易化を図ることは、極めて重要である。
【先行技術文献】
【非特許文献】
【００１２】
【非特許文献１】https://products.office.com/ja-jp/excel, Microsoft社（２０１９年２月８日検索）
【発明の概要】
【発明が解決しようとする課題】
【００１３】
本発明はこのような事情に鑑みてなされたものであり、簡単な操作で、所望のイメージのグラフを、短時間で、確実に作成することが可能なグラフ作成装置、グラフ作成方法、およびプログラムを提供することを目的とする。
【課題を解決するための手段】
【００１４】
上記の目的を達成するために、本発明では、以下のような手段を講じる。
【００１５】
すなわち、本発明の第１の観点のグラフ作成装置は、予め提供されている複数のグラフのおのおのに対応する各テンプレートを、ディスプレイから表示するテンプレート表示部と、表示された各テンプレートから、所望のテンプレートを指定する指定入力を受け付ける第１の入力受付部と、指定入力によって指定されたテンプレートに関連付けられたデータテーブルを、ディスプレイから表示するデータテーブル表示部と、表示されたデータテーブルへ入力されるデータを受け付ける第２の入力受付部と、指定されたテンプレートに、データを反映してグラフを作成するグラフ作成部と、作成されたグラフを、ディスプレイから表示するグラフ表示部とを備えている。
【００１６】
本発明の第２の観点のグラフ作成装置は、第１の観点のグラフ作成装置において、テンプレート表示部は、各テンプレートに対応するグラフのイメージを、ディスプレイから表示することによって、各テンプレートを、ディスプレイから表示する。
【００１７】
本発明の第３の観点のグラフ作成装置は、第１または第２の観点のグラフ作成装置において、各テンプレートは、新聞記事に使用される定型的なグラフに対応するテンプレートを含む。
【００１８】
本発明の第４の観点のグラフ作成装置は、第１乃至第３のうち何れかの観点のグラフ作成装置において、グラフ表示部は、作成されたグラフを、付加情報とともにディスプレイから表示する。さらに、作成されたグラフを、ディスプレイから表示しながら、付加情報を編集するための編集部をさらに備えている。
【００１９】
本発明の第５の観点のグラフ作成装置は、第４の観点のグラフ作成装置において、付加情報は、グラフのタイトル、グラフの軸の単位、およびデータの項目名のうちの少なくとも何れかを含む。
【００２０】
本発明の第６の観点のグラフ作成装置は、第４または第５の観点のグラフ作成装置において、付加情報の編集は、付加情報の内容の変更、書式の変更、および表示場所の変更を含む。
【００２１】
本発明の第７の観点のグラフ作成装置は、第１乃至第６のうち何れかの観点のグラフ作成装置において、指定されたテンプレートと、テンプレートに関連付けられたデータテーブルと、データテーブルへ入力されたデータとを関連付けて、記憶装置に記憶する記憶制御部をさらに備えている。
【００２２】
本発明の第８の観点のグラフ作成装置は、第７の観点のグラフ作成装置において、関連付けて記憶装置に記憶されたテンプレート、データテーブル、およびデータに基づいて、作成されたグラフを復元するグラフ復元部をさらに備えている。
【００２３】
本発明の第９の観点のグラフ作成方法は、予め提供されている複数のグラフのおのおのに対応する各テンプレートを、ディスプレイから表示することによって、ユーザに、テンプレートの選択を促し、ユーザによって選択されたテンプレートを指定する指定入力を受け取り、指定入力によって指定されたテンプレートに関連付けられたデータテーブルを、ディスプレイから表示することによって、ユーザに、データテーブルへのデータの入力を促し、ユーザによって、データテーブルへ入力されたデータを受け取り、指定されたテンプレートに、データを反映してグラフを作成し、作成されたグラフを、ディスプレイから表示する。
【００２４】
本発明の第１０の観点のグラフ作成方法は、第９の観点のグラフ作成方法において、各テンプレートを、ディスプレイから表示することは、各テンプレートに対応するグラフのイメージを、ディスプレイから表示することを含む。
【００２５】
本発明の第１１の観点のグラフ作成方法は、第９または第１０の観点のグラフ作成方法において、各テンプレートは、新聞記事に使用される定型的なグラフに対応するテンプレートを含む。
【００２６】
本発明の第１２の観点のグラフ作成方法は、第９乃至第１１のうち何れかの観点のグラフ作成方法において、作成されたグラフを、ディスプレイから表示することは、作成されたグラフを、付加情報とともにディスプレイから表示することを含み、さらに、作成されたグラフを、ディスプレイから表示しながら、付加情報を編集可能としている。
【００２７】
本発明の第１３の観点のグラフ作成方法は、第１２の観点のグラフ作成方法において、付加情報は、グラフのタイトル、グラフの軸の単位、およびデータの項目名のうちの少なくとも何れかを含む。
【００２８】
本発明の第１４の観点のグラフ作成方法は、第１２または第１３の観点のグラフ作成方法において、付加情報の編集は、付加情報の内容の変更、書式の変更、および表示場所の変更を含む。
【００２９】
本発明の第１５の観点のグラフ作成方法は、第９乃至第１４のうち何れかの観点のグラフ作成方法において、指定されたテンプレートと、テンプレートに関連付けられたデータテーブルと、データテーブルへ入力されたデータとを関連付けて、記憶装置に記憶する。
【００３０】
本発明の第１６の観点のグラフ作成方法は、第１５の観点のグラフ作成方法において、関連付けて記憶装置に記憶されたテンプレート、データテーブル、およびデータに基づいて、作成されたグラフを復元する。
【００３１】
本発明の第１７の観点のプログラムは、予め提供されている複数のグラフのおのおのに対応する各テンプレートを、ディスプレイから表示する機能、ディスプレイから表示された各テンプレートのうち、選択されたテンプレートを指定する指定入力を受け取る機能、指定入力によって指定されたテンプレートに関連付けられたデータテーブルを、ディスプレイから表示する機能、データテーブルへ入力されたデータを受け取る機能、指定されたテンプレートに、データを反映してグラフを作成する機能、作成されたグラフを、ディスプレイから表示する機能をプロセッサに実現させるためのプログラムである。
【発明の効果】
【００３２】
本発明のグラフ作成装置、グラフ作成方法、およびプログラムによれば、新聞や雑誌で使用されるグラフのテンプレートが予めいくつか準備されており、例えば記者やデスクであるユーザは、所望のテンプレートを選択するだけで、所望のイメージのグラフを確実に作成することが可能となる。このため、前述したような書式設定と、表示による確認との繰り返し作業はもはや不要となる。
【００３３】
また、本発明のグラフ作成装置、グラフ作成方法、およびプログラムは操作が簡単であり、グラフにデータを反映させる場合、ユーザは、指定されたデータテーブルにデータを入力するだけでよいため、特別なスキルは不要である。このため、記者やデスクであっても、容易に、かつ短時間にグラフを作成できるようになるので、人件費および作成時間ともに削減することが可能となる。
【００３４】
さらには、本発明のグラフ作成装置、グラフ作成方法、およびプログラムは、グラフとともに表示されるグラフのタイトル、軸の単位、データの項目名といった付加情報を、グラフを表示させながら編集できる機能も備えている。この機能によって、ユーザは、設定画面に戻ることなく、グラフの最終イメージを確認しながら、グラフを編集できるようになるので、グラフを自分のイメージ通りに、容易にかつ確実に編集することが可能となる。
【図面の簡単な説明】
【００３５】
【図１】図１は、本発明の実施形態に係るグラフ作成方法が適用されたグラフ作成装置の電子回路構成例を示すブロック図である。
【図２】図２は、グラフ作成装置の起動時に表示されるログイン画面の表示例を示すイメージ図である。
【図３】図３は、グラフのイメージを表す複数のアイコンが表示されたメニュー画面の表示例を示す概念図である。
【図４】図４は、データテーブルおよび付加情報入力欄が表示された新規作成用画面の表示例を示す概念図である。
【図５】図５は、編集プログラムを用いてなされる編集を説明するためのグラフの概念図である。
【図６】図６は、グラフ復元プログラムによって復元されたグラフと、一覧表示された出稿用付加情報テーブルとの表示例を示すイメージ図である。
【図７】図７は、出稿済みのグラフを修正して新たなグラフを作成する処理の流れを説明するための図である。
【図８】図８は、作成途中のデータからグラフの作成を継続する処理の流れを説明するための図である。
【図９】図９は、作成途中のデータからグラフの作成を継続する別の手法による処理の流れを説明するための図である。
【発明を実施するための形態】
【００３６】
以下に、本発明の実施形態を、図面を参照して説明する。
【００３７】
なお、以下の実施形態の説明において、一度説明した部分については、同一符号を用いて示し、重複説明を避ける。
【００３８】
図１は、本発明の実施形態に係るグラフ作成方法が適用されたグラフ作成装置の電子回路構成例を示すブロック図である。
【００３９】
グラフ作成装置１０の電子回路は、バス１１によって互いに接続されたＣＰＵ１２、記録媒体読取部１４、ディスプレイ１５、キー入力部１６、通信部１７、メモリ２０、および記憶装置群３０を備えている。
【００４０】
キー入力部１６は、例えばキーボード、マウス等のように、ユーザからの入力を受け付ける部位である。
【００４１】
メモリ２０は、テンプレート表示プログラム２１と、入力受付プログラム２２と、データテーブル表示プログラム２３と、グラフ作成プログラム２４と、グラフ表示プログラム２５と、編集プログラム２６と、記憶制御プログラム２７と、グラフ復元プログラム２８とを記憶している。これらプログラム２１〜２８は、メモリ２０に予め記憶されていてもよいし、あるいはメモリカード等の外部記録媒体１３から記録媒体読取部１４を介してメモリ２０に読み込まれて記憶されたものであってもよい。
【００４２】
これらプログラム２１〜２８は、ユーザによるキー入力部１６からの入力によって書き換えできないようになっている。
【００４３】
メモリ２０には、このようなユーザ書き換え不可能な情報の他に、ユーザが書き換え可能なデータを記憶するエリアとして、キー入力部１６によりなされた入力に対応する情報が順次入力されるエリアである書込可能データエリア２９が確保されている。
【００４４】
ＣＰＵ１２は、コンピュータであって、メモリ２０に記憶されている各プログラム２１〜２８に従い回路各部の動作を制御し、ユーザによってキー入力部１６からなされた入力に従う処理を実行する。
【００４５】
記憶装置群３０は、テンプレート記憶装置３１と、データテーブル記憶装置３２と、グラフデータ記憶装置３３とを備えている。
【００４６】
テンプレート記憶装置３１は、複数のグラフのテンプレートを記憶している。
【００４７】
データテーブル記憶装置３２は、各テンプレートに応じて指定されたデータテーブルを記憶している。
【００４８】
グラフデータ記憶装置３３は、過去に作成されたグラフの復元に必要な復元用データを記憶している。具体的には、テンプレートと、データテーブルと、データテーブルに入力されたデータ等を関連付けて記憶している。
【００４９】
これら記憶装置３１、３２、３３は何れも例えばＳＳＤ（Solid State Drive）やＨＤＤ（Hard Disk Drive）等からなる。なお、これら記憶装置３１、３２、３３は、図面では、説明の容易のために一例として３つの独立した記憶装置として示されているが、記憶装置の数は３つに限定されず、１つのＳＳＤまたはＨＤＤの中に、３つの記憶装置３１、３２、３３が構築されていても良い。
【００５０】
テンプレート表示プログラム２１は、予め提供されている複数のグラフのおのおのに対応する各テンプレートを、テンプレート記憶装置３１から取得し、メニュー画面において、各テンプレートに対応するグラフのイメージをディスプレイ１５から表示する。これによって、例えば記者やデスクであるユーザに、テンプレートの選択を促す。これらテンプレートは、新聞や雑誌の記事に使用される定型的なグラフに対応するテンプレートを含む。
【００５１】
これに応じて、ユーザは、キー入力部１６へ所望のテンプレートを指定する指定入力を入力することができる。なお、新たなテンプレートを作成し、テンプレート記憶装置３１に登録および記憶することもできる。これによって、提供できるグラフのバリエーションを増やすことができる。
【００５２】
入力受付プログラム２２は、ユーザによってキー入力部１６に入力された指定入力を、キー入力部１６から受け取る。
【００５３】
データテーブル表示プログラム２３は、入力受付プログラム２２によって受け取られた指定入力で指定されたテンプレートに関連付けられたデータテーブルを、データテーブル記憶装置３２から取得し、ディスプレイ１５から表示する。これによって、ユーザに、データテーブルへのデータの入力を促す。
【００５４】
これに応じて、ユーザは、キー入力部１６を操作することによって、表示されているデータテーブルにデータを入力する。また、ユーザは、データを入力する代わりに、既にデータが入力されているデータファイルを読み込むことによって、データテーブルにデータを入力することもできる。なお、後述するように、グラフデータ記憶装置３３には、既に出稿されたグラフを復元するための復元用データが記憶されている。ユーザは、キー入力部１６を操作することによって、グラフデータ記憶装置３３から復元用データを読み込み、データテーブルに入力することもできる。あるいは、作成途中のデータを利用して、不足するデータを追加したり、あるいは、データを修正した後に、データテーブルに入力することもできる。
【００５５】
グラフ作成プログラム２４は、指定されたテンプレートに、データテーブルに書き込まれたデータを反映して、グラフを作成する。
【００５６】
グラフ表示プログラム２５は、グラフ作成プログラム２４によって作成されたグラフを、付加情報とともにディスプレイ１５から表示する。
【００５７】
付加情報は、グラフのタイトル、グラフの軸の単位、グラフの軸の目盛りの値、およびデータの項目名等を含む。
【００５８】
編集プログラム２６は、作成されたグラフを、ディスプレイ１５から表示しながら、ユーザが、キー入力部１６を操作して、付加情報を編集することを可能にする。なお、付加情報の編集は、付加情報の内容の変更、書式の変更、および表示場所の変更等を含む。
【００５９】
記憶制御プログラム２７は、グラフ作成プログラム２４によって作成され、必要な場合にはさらに編集プログラム２６によって編集されたグラフを復元するために必要な復元用データをグラフデータ記憶装置３３に記憶する。
【００６０】
グラフ復元プログラム２８は、グラフデータ記憶装置３３から復元用データを読み出し、読み出した復元用データに基づいて、グラフを復元する。そして、復元されたグラフを、ディスプレイ１５から表示する。
【００６１】
通信部１７は、例えばインターネットのような通信ネットワークに接続されており、この通信ネットワークを介して、図示しない外部のソース等と通信する。この通信によって、各種ＡＰＩから、グラフの作成に利用されるデータを取得することもできる。さらに、ＡＰＩの機能を使うことによって、指数や株式コード、企業名を選択し、これらに紐付けられた種々のデータを、グラフ作成のために取得することも可能となる。
【００６２】
このように構成されたグラフ作成装置１０は、ＣＰＵ１２が、各プログラム２１〜２８に記述された命令に従い回路各部の動作を制御し、ソフトウェアとハードウェアとが協働して、以下に説明するように動作する。
【００６３】
図２は、グラフ作成装置の起動時に表示されるログイン画面の表示例を示すイメージ図である。
【００６４】
グラフ作成装置１０を起動すると、図２に例示されるようなログイン画面が、ディスプレイ１５から表示される。例えば記者やデスクのようなユーザには、グラフ作成装置１０にログインするためのユーザＩＤとパスワードとが予め付与されている。
【００６５】
ユーザは、このログイン画面に従って、キー入力部１６から、ユーザＩＤとパスワードを入力し、さらにログインボタンをマウスでクリックすることによって、グラフ作成装置１０にログインし、グラフ作成装置１０の使用を許可される。
【００６６】
正しくログインがなされると、テンプレート表示プログラム２１によって、テンプレート記憶装置３１から、グラフ作成装置１０によって提供されている複数のグラフのおのおのに対応する各テンプレートが取得され、図３に例示されるように、各テンプレートに対応するグラフのイメージが、ディスプレイ１５から、アイコンとして表示される。
【００６７】
図３は、グラフのイメージを表す複数のアイコンが表示されたメニュー画面の表示例を示す概念図である。
【００６８】
テンプレート記憶装置３１に記憶されているテンプレートは、新聞や雑誌の記事に使用される定型的なグラフに対応するテンプレートを含む。グラフ作成装置１０は、新たなテンプレートを作成して、テンプレート記憶装置３１に登録することもできる。また、不要になったテンプレートを、テンプレート記憶装置３１から削除することもできる。さらには、テンプレート記憶装置３１に登録されているテンプレートを更新して、テンプレート記憶装置３１に上書き登録することもできる。
【００６９】
図３に例示するように、ディスプレイ１５から、各テンプレートに対応するグラフのイメージを示すアイコンｉ１〜ｉ１３が表示されることによって、ユーザは、テンプレートの選択を促される。
【００７０】
図３に示す例では、アイコンｉ１〜ｉ３は複合グラフ、アイコンｉ４〜ｉ６は線グラフ、アイコンｉ７〜ｉ１０は棒グラフ、アイコンｉ１１〜ｉ１３はその他（表、フローチャート、円グラフ等）を示している。さらに、複合グラフのうち、アイコンｉ１は棒２本両軸グラフ、アイコンｉ２は棒２本片軸グラフ、およびアイコンｉ３は棒１本グラフに対応する。また、線グラフのうち、アイコンｉ４は線１本グラフ、アイコンｉ５は線２本グラフ、およびアイコンｉ６は線３本グラフに対応する。さらに、棒グラフのうち、アイコンｉ７は棒１本グラフ、アイコンｉ８は棒２本グラフ、アイコンｉ９は棒２本（両軸）グラフ、およびアイコンｉ１０は棒１本（横）グラフに対応する。さらにまた、その他のうち、アイコンｉ１１は表グラフ、アイコンｉ１２はフローチャート、およびアイコンｉ１３は円グラフに対応する。
【００７１】
これに応じて、ユーザは、キー入力部１６を操作することによって、所望のテンプレートを指定することができる。この指定入力の方法は限定されないが、一例として、図３に示すように、所望のテンプレートのアイコンｉ（例えば、アイコンｉ３）を、マウスでクリックすることによってアクティブにし、さらに、画面中央に表示されている「作成」ボタンｂ１をマウスでクリックすることによって、所望のテンプレートを指定することができる。
【００７２】
このようにしてなされたアイコンの指定入力は、入力受付プログラム２２によって受け取られ、認識され、データテーブル表示プログラム２３へ渡される。
【００７３】
これに応じて、指定入力で指定されたテンプレートに関連付けられたデータテーブルが、データテーブル表示プログラム２３によって、データテーブル記憶装置３２から取得され、図４に例示されるように、付加情報入力欄とともにディスプレイ１５から表示される。
【００７４】
図４は、データテーブルおよび付加情報入力欄が表示された新規作成用画面の表示例を示す概念図である。
【００７５】
図４に例示されるデータテーブルｔは、２次元のデータテーブルであり、第１行目は項目名専用行となっており、項目として、Ａ列は年月に、Ｂ列は売上高に、Ｃ列は営業利益に、Ｄ列は既存店売上高率に、Ｅ列は予備にそれぞれ指定されている。
【００７６】
このようなデータテーブルｔが表示されることによって、ユーザは、データテーブルｔへデータを入力するように促される。
【００７７】
ユーザは、例えば、マウスによって、データテーブルｔのうちの所望のセルを指定し、キー入力部１６を使ってデータを入力することによって、データテーブルｔにデータを入力することができる。あるいは、例えばExcelのような既存のスプレッドシート式ソフトウェアにデータを入力しておき、コピー＆ペースト機能を使って貼り付けることによって、データテーブルｔにデータを入力することもできる。
【００７８】
なお、データテーブルｔの書式、項目名等は、テンプレートに応じて決定されるので、図４は一例であり、別の書式や、項目名等からなるデータテーブルもまた、本発明に含まれるものとする。
【００７９】
図４に例示される付加情報入力欄ｐには、グラフ作成に必要な付加情報を設定するために（１）オプション設定欄、（２）軸ラベル入力欄、（３）注釈入力欄、および（４）紙面情報入力欄が表示される。
【００８０】
このような付加情報入力欄ｐが表示されることによって、ユーザは、グラフ作成に必要な付加情報を入力するように促される。
【００８１】
（１）オプション設定欄は、例えばグラフに中断線を入れたい場合など、グラフに動きを付けるための設定を入力するための欄であり、ユーザは、必要に応じて、マウス等によって、所定のチェックボックスｐ１〜ｐ３をチェックすることによって、オプション条件を設定することができる。例えば、ユーザは、チェックボックスｐ１をチェックすることによって、ラインチャート（上部）の傾斜をなだらかにするように設定することができる。同様に、ユーザは、チェックボックスｐ２をチェックすることによって、ラインチャート（下部）の中断処理（左軸）をするように、チェックボックスｐ３をチェックすることによって、ラインチャート（下部）の中断処理（右軸）をするように設定することができる。なお、チェックボックスｐ１〜ｐ３は一例であり、その他のチェックボックスを適宜設けるようにしても良い。
【００８２】
（２）軸ラベル入力欄は、例えば単位のように、軸ラベルの名称を入力するための欄である。軸ラベルの名称は、データテーブルｔで表示される項目毎に入力することができ、図４に示す例では、データテーブルｔのB列の売上高に対応する軸ラベルの名称を入力欄ｐ５に、Ｃ列の営業利益に対応する軸ラベルの名称を入力欄ｐ６に、Ｄ列の既存店売上高率に対応する軸ラベルの名称を入力欄ｐ７に入力することができる。また、（２）軸ラベル入力欄には、クリアボタンｐ４も設けられており、マウスによってクリアボタンｐ４をクリックすると、入力欄ｐ５、ｐ６、ｐ７になされた入力がクリアされ、ユーザは、新たな入力を行うことが可能となる。
【００８３】
（３）注釈入力欄は、グラフに表示されるタイトル、注釈、出所等を入力するための欄である。ユーザは、キー入力部１６から入力欄ｐ９にタイトルを、入力欄ｐ１０に注釈を、入力欄ｐ１１に出所をそれぞれ入力することができる。また、（３）注釈入力欄には、クリアボタンｐ８も設けられており、マウスによってクリアボタンｐ８をクリックすると、入力欄ｐ９、ｐ１０、ｐ１１になされた入力がクリアされ、ユーザは、新たな入力を行うことが可能となる。なお、これら入力欄ｐ９〜ｐ１１は一例であり、その他の入力欄を適宜設けるようにしても良い。
【００８４】
（４）紙面情報入力欄は、新聞紙面におけるグラフの配置情報等を入力するための欄である。ユーザは、入力欄ｐ１３に掲載面（例えば、１面）、入力欄ｐ１４に媒体（朝刊、夕刊等）、入力欄ｐ１５に面呼称（任意）を入力することができる。また、ユーザは、面付日に関する入力として、入力欄ｐ１６に表示される「する」または「しない」のいずれかをマウスでクリックすることによって、面付日の指定の有無を設定することができる。そして、入力欄ｐ１６において、面付日を指定「する」と指定した場合には、さらに入力欄ｐ１７に、日付を入力することができる。さらにユーザは、仕掛けサイズに関する入力として、入力欄ｐ１８に横サイズ（倍）を、入力欄ｐ１９に縦サイズ（倍）をそれぞれ入力することができる。なお、（４）紙面情報入力欄にもクリアボタンｐ１２が設けられており、マウスによってクリアボタンｐ１２をクリックすると、入力欄ｐ１３〜ｐ１９になされた入力がクリアされ、ユーザは、新たな入力を行うことが可能となる。なお、これら入力欄ｐ１３〜ｐ１９もまた一例であり、その他の入力欄を適宜設けるようにしても良い。
【００８５】
また、このような新規作成用画面には、付加情報入力欄ｐの最終行の近傍に、確認ボタンｂ２が表示されている。
【００８６】
ユーザが、マウスによって確認ボタンｂ２をクリックすると、グラフ作成プログラム２４が起動する。そして、指定されたテンプレートに、データテーブルｔに書き込まれたデータが反映され、さらに、付加情報入力欄ｐに入力された付加情報に基づいて、グラフｇが作成され、確認ボタンｂ２の上方にプレビュー表示される。グラフｇのプレビューには、付加情報入力欄ｐに入力された付加情報も反映されており、例えば、図４に示す例では、入力欄ｐ９に入力されたタイトルは、グラフｇの先頭行に表示され、入力欄ｐ１０に入力された注釈が、グラフｇの最終行に表示されている。また、グラフｇの横サイズは、入力欄ｐ１８で指定されたように２６倍、縦サイズは、入力欄ｐ１９で指定されたように３１倍で表示される。
【００８７】
また、編集プログラム２６によって、ユーザは、プレビューされたグラフｇを、ディスプレイ１５から表示しながら、キー入力部１６を操作することによって、付加情報を編集することができる。付加情報は、グラフのタイトル、グラフの軸の単位、およびデータの項目名等を含む。付加情報の編集は、付加情報の内容の変更、書式の変更、および表示場所の変更等を含む。
【００８８】
図５は、編集プログラムを用いてなされる編集を説明するためのグラフの概念図である。
【００８９】
図５（ａ）は、図４にも示されているプレビューされたグラフｇを示している。
【００９０】
図５（ａ）に示すグラフｇは編集前のグラフである。これに対し、ユーザが、データテーブルｔにおけるＢ列、Ｃ列、およびＤ列で指定された「売上高」、「営業利益」、および「既存店売上高率」の文字表示の位置を、移動させる編集を行う場合、ユーザは、マウスによって、その文字が表示されているエリアをクリックすることによって、その文字をアクティブにし、その後、マウスでそのエリアを所望の位置までドラッグすることによって、その文字の表示位置を移動させることができる。
【００９１】
例えば、データテーブルｔにおけるＤ列で指定された「既存店売上高率」という文字の表示位置を、移動させたい場合、マウスによって、「既存店売上高率」が表示されているエリアをクリックし、「既存店売上高率」をアクティブにする。その後、マウスを、矢印ｄ１のようにドラッグすることによって、「既存店売上高率」の表示位置を移動させることができる。同様に、「売上高（左軸）」の表示位置を移動させたい場合、マウスによって、「売上高（左軸）」と表示されているエリアをクリックし、その後、マウスを、矢印ｄ２のようにドラッグすることによって、「売上高（左軸）」の文字表示の位置を移動させることができる。同様に、「営業利益（右軸）」の表示位置を移動させたい場合、マウスによって、「営業利益（右軸）」と表示されているエリアをクリックし、その後、マウスを、矢印ｄ３のようにドラッグすることによって、「営業利益（右軸）」の文字表示の位置を移動させることができる。
【００９２】
また、編集プログラム２６は、グラフの開始点を変更するための編集機能も提供している。これは、例えば、グラフが棒グラフである場合、クリックｃ１に示すように、指し棒をクリックすることによってなされる。
【００９３】
図５（ｂ）は、このような編集がなされた後のグラフｇを示している。
【００９４】
図５（ｂ）では、図５（ａ）に対して、「既存店売上高率」、「売上高（左軸）」、および「営業利益（右軸）」の各文字の表示位置が、ドラッグｄ１、ｄ２、およびｄ３で指定されたように移動している。また、指し棒の開始点も変更されている。
【００９５】
このようにして完成したグラフｇは、新聞や雑誌に出稿される。
【００９６】
また、将来の再利用のために、グラフｇの復元に必要なすべてのデータ（以下、「復元用データ」と称する）が、記憶制御プログラム２７によって、グラフデータ記憶装置３３に記憶される。復元用データは、グラフのテンプレートと、このテンプレートに関連付けられたデータテーブルｔと、データテーブルｔへ入力されたデータと、（１）オプション設定欄にて入力された情報と、グラフ編集時に指定された情報とを含む。さらに、データの提供者や、作成日等を含む出稿用付加情報も、復元用データに関連付けられてグラフデータ記憶装置３３に記憶される。
【００９７】
グラフデータ記憶装置３３に記憶されている復元用データに基づいて、グラフ復元プログラム２８によって、グラフｇが復元され、ディスプレイ１５から表示される。また、グラフ復元プログラム２８によって、出稿用付加情報の一覧表示も作成され、ディスプレイ１５から表示される。
【００９８】
図６は、グラフ復元プログラムによって復元されたグラフと、一覧表示された出稿用付加情報テーブルとの表示例を示すイメージ図である。
【００９９】
なお、グラフ作成装置１０によれば、出稿済みのグラフｇを修正して新たなグラフの作成のために使用することもできる。これを図７を用いて説明する。
【０１００】
図７は、出稿済みのグラフを修正して新たなグラフを作成する処理の流れを説明するための図である。
【０１０１】
図7（ａ）に示されるように、図３に示すメニュー画面において表示されている「出稿済みグラフを修正」ボタンｂ３をマウスでクリックすると、図７（ｂ）に示されるように、グラフデータ記憶装置３３に記憶されている出稿済みのグラフの復元用データが、一覧表ｈにリスト表示される。
【０１０２】
ユーザは、このリストの中から、所望する復元用データを選択し、「データを取り込む」ボタンｂ５をマウスによりクリックすると、グラフ復元プログラム２８によって、選択された復元用データに基づいてグラフｇが復元され、図７（ｃ）のように表示されるとともに、対応するデータテーブルｔ、および、図示されていないが、図４に示したような付加情報入力欄ｐも表示される。
【０１０３】
その後は、図４を用いて説明したように、付加情報入力欄ｐの入力を適宜編集したり、図５を用いて説明したように、グラフｇの表示を適宜編集することができる。
【０１０４】
また、グラフ作成装置１０は、グラフデータ記憶装置３３に記憶されている復元用データのみならず、グラフデータ記憶装置３３に記憶されていない作成途中のデータから、グラフの作成を継続することもできる。これを図８および図９を用いて説明する。
【０１０５】
図８は、作成途中のデータからグラフの作成を継続する処理の流れを説明するための図である。
【０１０６】
図８（ａ）に示されるように、図３のメニュー画面において、作成途中のデータをドラッグ＆ドロップすると、このデータが解凍され、グラフ復元プログラム２８によって、解凍されたデータに基づいてグラフｇが復元され、図８（ｂ）のように表示されるとともに、対応するデータテーブルｔ、および、図示されていないが、図４に示したような付加情報入力欄ｐも表示される。
【０１０７】
図９は、作成途中のデータからグラフの作成を継続する別の手法による処理の流れを説明するための図である。
【０１０８】
図８は、作成途中のデータをドラッグ＆ドロップして取り込む手法であったが、図９は、作成途中のデータをグラフ作成装置１０のハードディスクに構築されたフォルダから取り込む手法である。
【０１０９】
図９（ａ）に示されるように、図３のメニュー画面において、「フォルダから取り込む」ボタンｂ４をマウスによりクリックすると、グラフ作成装置１０のハードディスクに構築されたフォルダ構造ｆが表示される。ユーザは、このフォルダ構造ｆの表示を使って、所望のファイルを選択し、マウスにより「開く」ボタンｂ６をクリックする。
【０１１０】
これに応じて開かれたデータに基づいて、グラフ復元プログラム２８によって、グラフｇが復元され、図９（ｂ）のように表示されるとともに、対応するデータテーブルｔ、および、図示されていないが、図４に示したような付加情報入力欄ｐも表示される。
【０１１１】
図８に示す手法、および、図９に示す手法いずれにおいても、その後は、図４を用いて説明したように、付加情報入力欄ｐの入力を適宜編集したり、図５を用いて説明したように、グラフｇの表示を適宜編集することができる。
【０１１２】
なお、グラフ復元プログラム２８によって、グラフデータ記憶装置３３に記憶された復元用データから、例えば、指定された付日や、掲載された面毎に、該当する復元用データを検索し、検索された複数のグラフｇを、ディスプレイ１５から一覧表示させることもできる。
【０１１３】
上述したように、本発明の実施形態に係るグラフ作成方法が適用されたグラフ作成装置においては、新聞や雑誌の記事とともに表示される定型的なグラフのテンプレートが予めいくつか準備されており、例えば記者やデスクであるユーザは、所望のテンプレートを選択するだけで、所望のイメージのグラフを確実に作成することが可能となる。このため、前述したような書式設定と、表示による確認との繰り返し作業はもはや不要となる。
【０１１４】
また、本発明の実施形態に係るグラフ作成方法が適用されたグラフ作成装置は操作が簡単であり、操作にあたって専門的な長期間の教育を受ける必要はない。このため、記者やデスクであっても、マニュアルを見ることなく、容易に、かつ短時間でグラフを作成できるようになる。したがって、専門のデザイナーの介在は不要となる。つまり人件費と作業時間との両方を削減することが可能となる。これによって、デジタル時代のスピードに対応することも可能となり、新聞、雑誌の電子媒体の速報記事で要求されるシビアなタイミングにも対応できるようにグラフを迅速に作成することが可能となる。
【０１１５】
さらには、本発明の実施形態に係るグラフ作成方法が適用されたグラフ作成装置は、グラフとともに表示されるタイトル、軸の単位、およびデータの項目名といった付加情報を、グラフを表示させながら編集できるという高い柔軟性も備えている。これによって、ユーザは、作成・編集する画面から設定画面に戻ることなく、グラフのイメージを確認しながら、グラフを編集できるようになるので、グラフを自分のイメージ通りに、容易にかつ確実にカスタマイズすることも可能となる。
【０１１６】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【産業上の利用可能性】
【０１１７】
本願発明は、新聞や雑誌の記事のように、定型的なグラフを作成する際に、特に多大な効果を奏することができるが、汎用的な簡易グラフ作成ツールとしても利用可能である。
【符号の説明】
【０１１８】
１０・・グラフ作成装置
１１・・バス
１３・・外部記録媒体
１４・・記録媒体読取部
１５・・ディスプレイ
１６・・キー入力部
１７・・通信部
２０・・メモリ
２１・・テンプレート表示プログラム
２２・・入力受付プログラム
２３・・データテーブル表示プログラム
２４・・グラフ作成プログラム
２５・・グラフ表示プログラム
２６・・編集プログラム
２７・・記憶制御プログラム
２８・・グラフ復元プログラム
２９・・書込可能データエリア
３０・・記憶装置群
３１・・テンプレート記憶装置
３２・・データテーブル記憶装置
３３・・・グラフデータ記憶装置
【図１】
2020135728.tif 000003
【図２】
2020135728.tif 000004
【図３】
2020135728.tif 000005
【図４】
2020135728.tif 000006
【図５】
2020135728.tif 000007
【図６】
2020135728.tif 000008
【図７】
2020135728.tif 000009
【図８】
2020135728.tif 000010
【図９】
2020135728.tif 000011
【手続補正書】
【提出日】令和1年8月5日(2019.8.5)
【手続補正１】
【補正対象書類名】明細書
【補正対象項目名】００１５
【補正方法】変更
【補正の内容】
【００１５】
すなわち、本発明の第１の観点のグラフ作成装置は、記事とともに面に掲載されるためのグラフを作成するグラフ作成装置であって、予め提供されている複数のグラフのおのおのに対応する各テンプレートを、ディスプレイから表示するテンプレート表示部と、表示された各テンプレートから、所望のテンプレートを指定する指定入力を受け付ける第１の入力受付部と、指定入力によって指定されたテンプレートに関連付けられたデータテーブルを、ディスプレイから表示するデータテーブル表示部と、表示されたデータテーブルへ入力されるデータを受け付ける第２の入力受付部と、指定されたテンプレートに、データを反映してグラフを作成するグラフ作成部と、作成されたグラフを、指定されたサイズで、掲載される面毎にディスプレイから表示するグラフ表示部とを備えている。
【手続補正２】
【補正対象書類名】明細書
【補正対象項目名】００２３
【補正方法】変更
【補正の内容】
【００２３】
本発明の第９の観点のグラフ作成方法は、記事とともに面に掲載されるためのグラフを作成するグラフ作成方法であって、予め提供されている複数のグラフのおのおのに対応する各テンプレートを、ディスプレイから表示することによって、ユーザに、テンプレートの選択を促し、ユーザによって選択されたテンプレートを指定する指定入力を受け取り、指定入力によって指定されたテンプレートに関連付けられたデータテーブルを、ディスプレイから表示することによって、ユーザに、データテーブルへのデータの入力を促し、ユーザによって、データテーブルへ入力されたデータを受け取り、指定されたテンプレートに、データを反映してグラフを作成し、作成されたグラフを、指定されたサイズで、掲載される面毎にディスプレイから表示する。
【手続補正３】
【補正対象書類名】明細書
【補正対象項目名】００３１
【補正方法】変更
【補正の内容】
【００３１】
本発明の第１７の観点のプログラムは、記事とともに面に掲載されるためのグラフを作成するためのプログラムであって、予め提供されている複数のグラフのおのおのに対応する各テンプレートを、ディスプレイから表示する機能、ディスプレイから表示された各テンプレートのうち、選択されたテンプレートを指定する指定入力を受け取る機能、指定入力によって指定されたテンプレートに関連付けられたデータテーブルを、ディスプレイから表示する機能、データテーブルへ入力されたデータを受け取る機能、指定されたテンプレートに、データを反映してグラフを作成する機能、作成されたグラフを、指定されたサイズで、掲載される面毎にディスプレイから表示する機能をプロセッサに実現させるためのプログラムである。
【手続補正４】
【補正対象書類名】特許請求の範囲
【補正対象項目名】全文
【補正方法】変更
【補正の内容】
【特許請求の範囲】
【請求項１】
記事とともに面に掲載されるためのグラフを作成するグラフ作成装置であって、
予め提供されている複数のグラフのおのおのに対応する各テンプレートを、ディスプレイから表示するテンプレート表示部と、
前記表示された各テンプレートから、所望のテンプレートを指定する指定入力を受け付ける第１の入力受付部と、
前記指定入力によって指定されたテンプレートに関連付けられたデータテーブルを、前記ディスプレイから表示するデータテーブル表示部と、
前記表示されたデータテーブルへ入力されるデータを受け付ける第２の入力受付部と、
前記指定されたテンプレートに、前記データを反映してグラフを作成するグラフ作成部と、
前記作成されたグラフを、指定されたサイズで、掲載される面毎に前記ディスプレイから表示するグラフ表示部と
を備えた、グラフ作成装置。
【請求項２】
前記テンプレート表示部は、前記各テンプレートに対応するグラフのイメージを、前記ディスプレイから表示することによって、前記各テンプレートを、前記ディスプレイから表示する、請求項１に記載のグラフ作成装置。
【請求項３】
前記各テンプレートは、新聞記事に使用される定型的なグラフに対応するテンプレートを含む、請求項１または２に記載のグラフ作成装置。
【請求項４】
前記グラフ表示部は、前記作成されたグラフを、付加情報とともに前記ディスプレイから表示し、
前記作成されたグラフを、前記ディスプレイから表示しながら、前記付加情報を編集するための編集部をさらに備えた、請求項１乃至３のうち何れか１項に記載のグラフ作成装置。
【請求項５】
前記付加情報は、前記グラフのタイトル、前記グラフの軸の単位、および前記データの項目名のうちの少なくとも何れかを含む、請求項４に記載のグラフ作成装置。
【請求項６】
前記付加情報の編集は、前記付加情報の内容の変更、書式の変更、および表示場所の変更を含む、請求項４または５に記載のグラフ作成装置。
【請求項７】
前記指定されたテンプレートと、前記テンプレートに関連付けられたデータテーブルと、前記データテーブルへ入力されたデータとを関連付けて、記憶装置に記憶する記憶制御部をさらに備えた、請求項１乃至６のうち何れか１項に記載のグラフ作成装置。
【請求項８】
前記関連付けて前記記憶装置に記憶された前記テンプレート、前記データテーブル、および前記データに基づいて、前記作成されたグラフを復元するグラフ復元部をさらに備えた、請求項７に記載のグラフ作成装置。
【請求項９】
記事とともに面に掲載されるためのグラフを作成するグラフ作成方法であって、
予め提供されている複数のグラフのおのおのに対応する各テンプレートを、ディスプレイから表示することによって、ユーザに、テンプレートの選択を促し、
前記ユーザによって選択されたテンプレートを指定する指定入力を受け取り、
前記指定入力によって指定されたテンプレートに関連付けられたデータテーブルを、前記ディスプレイから表示することによって、前記ユーザに、前記データテーブルへのデータの入力を促し、
前記ユーザによって、前記データテーブルへ入力されたデータを受け取り、
前記指定されたテンプレートに、前記データを反映してグラフを作成し、
前記作成されたグラフを、指定されたサイズで、掲載される面毎に前記ディスプレイから表示する、
グラフ作成方法。
【請求項１０】
前記各テンプレートを、前記ディスプレイから表示することは、前記各テンプレートに対応するグラフのイメージを、前記ディスプレイから表示することを含む、請求項９に記載のグラフ作成方法。
【請求項１１】
前記各テンプレートは、新聞記事に使用される定型的なグラフに対応するテンプレートを含む、請求項９または１０に記載のグラフ作成方法。
【請求項１２】
前記作成されたグラフを、前記ディスプレイから表示することは、前記作成されたグラフを、付加情報とともに前記ディスプレイから表示することを含み、
前記作成されたグラフを、前記ディスプレイから表示しながら、前記付加情報を編集可能とした、請求項９乃至１１のうち何れか１項に記載のグラフ作成方法。
【請求項１３】
前記付加情報は、前記グラフのタイトル、前記グラフの軸の単位、および前記データの項目名のうちの少なくとも何れかを含む、請求項１２に記載のグラフ作成方法。
【請求項１４】
前記付加情報の編集は、前記付加情報の内容の変更、書式の変更、および表示場所の変更を含む、請求項１２または１３に記載のグラフ作成方法。
【請求項１５】
前記指定されたテンプレートと、前記テンプレートに関連付けられたデータテーブルと、前記データテーブルへ入力されたデータとを関連付けて、記憶装置に記憶する、請求項９乃至１４のうち何れか１項に記載のグラフ作成方法。
【請求項１６】
前記関連付けて前記記憶装置に記憶された前記テンプレート、前記データテーブル、および前記データに基づいて、前記作成されたグラフを復元する、請求項１５に記載のグラフ作成方法。
【請求項１７】
記事とともに面に掲載されるためのグラフを作成するためのプログラムであって、
予め提供されている複数のグラフのおのおのに対応する各テンプレートを、ディスプレイから表示する機能、
前記ディスプレイから表示された各テンプレートのうち、選択されたテンプレートを指定する指定入力を受け取る機能、
前記指定入力によって指定されたテンプレートに関連付けられたデータテーブルを、前記ディスプレイから表示する機能、
前記データテーブルへ入力されたデータを受け取る機能、
前記指定されたテンプレートに、前記データを反映してグラフを作成する機能、
前記作成されたグラフを、指定されたサイズで、掲載される面毎に前記ディスプレイから表示する機能、
をプロセッサに実現させるためのプログラム。
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
記事とともに面に掲載されるためのグラフを作成するグラフ作成装置であって、
予め提供されている複数のグラフのおのおのに対応する各テンプレートを、ディスプレイから表示するテンプレート表示部と、
前記表示された各テンプレートから、所望のテンプレートを指定する第１の指定入力を受け付ける第１の入力受付部と、
前記第１の指定入力によって指定されたテンプレートに関連付けられたデータテーブルを、前記ディスプレイから表示するデータテーブル表示部と、
前記表示されたデータテーブルへ入力されるデータを受け付ける第２の入力受付部と、
前記指定されたテンプレートに、前記データを反映してグラフを作成するグラフ作成部と、
前記作成されたグラフを、前記グラフの付加情報とともに前記ディスプレイから表示するグラフ表示部と、
前記作成されたグラフを、前記ディスプレイから表示しながら、前記付加情報を編集するための編集部とを備え、
前記付加情報は、前記作成されたグラフのサイズ、および前記作成されたグラフが掲載される面を指定する第２の指定入力を含み、
前記グラフ表示部は、前記作成されたグラフを、前記第２の指定入力で指定されたサイズで、前記第２の指定入力で指定された面毎に前記ディスプレイから表示する、グラフ作成装置。
【請求項２】
前記テンプレート表示部は、前記各テンプレートに対応するグラフのイメージを、前記ディスプレイから表示することによって、前記各テンプレートを、前記ディスプレイから表示する、請求項１に記載のグラフ作成装置。
【請求項３】
前記各テンプレートは、新聞記事に使用される定型的なグラフに対応するテンプレートを含む、請求項１または２に記載のグラフ作成装置。
【請求項４】
前記付加情報はさらに、前記グラフのタイトル、前記グラフの軸の単位、および前記データの項目名のうちの少なくとも何れかを含む、請求項１に記載のグラフ作成装置。
【請求項５】
前記付加情報の編集は、前記付加情報の内容の変更、書式の変更、および表示場所の変更を含む、請求項１に記載のグラフ作成装置。
【請求項６】
前記指定されたテンプレートと、前記テンプレートに関連付けられたデータテーブルと、前記データテーブルへ入力されたデータとを関連付けて、記憶装置に記憶する記憶制御部をさらに備えた、請求項１乃至５のうち何れか１項に記載のグラフ作成装置。
【請求項７】
前記関連付けて前記記憶装置に記憶された前記テンプレート、前記データテーブル、および前記データに基づいて、前記作成されたグラフを復元するグラフ復元部をさらに備えた、請求項６に記載のグラフ作成装置。
【請求項８】
記事とともに面に掲載されるためのグラフを作成するグラフ作成方法であって、
予め提供されている複数のグラフのおのおのに対応する各テンプレートを、ディスプレイから表示することによって、ユーザに、テンプレートの選択を促し、
前記ユーザによって選択されたテンプレートを指定する第１の指定入力を受け取り、
前記第１の指定入力によって指定されたテンプレートに関連付けられたデータテーブルを、前記ディスプレイから表示することによって、前記ユーザに、前記データテーブルへのデータの入力を促し、
前記ユーザによって、前記データテーブルへ入力されたデータを受け取り、
前記指定されたテンプレートに、前記データを反映してグラフを作成し、
前記作成されたグラフを、前記グラフの付加情報とともに前記ディスプレイから表示し、
前記作成されたグラフを、前記ディスプレイから表示しながら、前記作成されたグラフのサイズ、および前記作成されたグラフが掲載される面を指定する第２の指定入力を含む前記付加情報を編集し、
前記作成されたグラフを、前記第２の指定入力で指定されたサイズで、前記第２の指定入力で指定された面毎に前記ディスプレイから表示する、
グラフ作成方法。
【請求項９】
前記各テンプレートを、前記ディスプレイから表示することは、前記各テンプレートに対応するグラフのイメージを、前記ディスプレイから表示することを含む、請求項８に記載のグラフ作成方法。
【請求項１０】
前記各テンプレートは、新聞記事に使用される定型的なグラフに対応するテンプレートを含む、請求項８または９に記載のグラフ作成方法。
【請求項１１】
前記付加情報はさらに、前記グラフのタイトル、前記グラフの軸の単位、および前記データの項目名のうちの少なくとも何れかを含む、請求項８に記載のグラフ作成方法。
【請求項１２】
前記付加情報の編集は、前記付加情報の内容の変更、書式の変更、および表示場所の変更を含む、請求項８に記載のグラフ作成方法。
【請求項１３】
前記指定されたテンプレートと、前記テンプレートに関連付けられたデータテーブルと、前記データテーブルへ入力されたデータとを関連付けて、記憶装置に記憶する、請求項８乃至１２のうち何れか１項に記載のグラフ作成方法。
【請求項１４】
前記関連付けて前記記憶装置に記憶された前記テンプレート、前記データテーブル、および前記データに基づいて、前記作成されたグラフを復元する、請求項１３に記載のグラフ作成方法。
【請求項１５】
記事とともに面に掲載されるためのグラフを作成するためのプログラムであって、
予め提供されている複数のグラフのおのおのに対応する各テンプレートを、ディスプレイから表示する機能、
前記ディスプレイから表示された各テンプレートのうち、選択されたテンプレートを指定する第１の指定入力を受け取る機能、
前記第１の指定入力によって指定されたテンプレートに関連付けられたデータテーブルを、前記ディスプレイから表示する機能、
前記データテーブルへ入力されたデータを受け取る機能、
前記指定されたテンプレートに、前記データを反映してグラフを作成する機能、
前記作成されたグラフを、前記グラフの付加情報とともに前記ディスプレイから表示する機能、
前記作成されたグラフを、前記ディスプレイから表示しながら、前記作成されたグラフのサイズ、および前記作成されたグラフが掲載される面を指定する第２の指定入力を含む前記付加情報を編集する機能、
前記作成されたグラフを、前記第２の指定入力で指定されたサイズで、前記第２の指定入力で指定された面毎に前記ディスプレイから表示する機能、
をプロセッサに実現させるためのプログラム。
【手続補正２】
【補正対象書類名】明細書
【補正対象項目名】００１５
【補正方法】変更
【補正の内容】
【００１５】
すなわち、本発明の第１の観点のグラフ作成装置は、記事とともに面に掲載されるためのグラフを作成するグラフ作成装置であって、予め提供されている複数のグラフのおのおのに対応する各テンプレートを、ディスプレイから表示するテンプレート表示部と、表示された各テンプレートから、所望のテンプレートを指定する第１の指定入力を受け付ける第１の入力受付部と、第１の指定入力によって指定されたテンプレートに関連付けられたデータテーブルを、ディスプレイから表示するデータテーブル表示部と、表示されたデータテーブルへ入力されるデータを受け付ける第２の入力受付部と、指定されたテンプレートに、データを反映してグラフを作成するグラフ作成部と、作成されたグラフを、グラフの付加情報とともにディスプレイから表示するグラフ表示部と、作成されたグラフを、ディスプレイから表示しながら、付加情報を編集するための編集部とを備え、付加情報は、作成されたグラフのサイズ、および作成されたグラフが掲載される面を指定する第２の指定入力を含み、グラフ表示部は、作成されたグラフを、第２の指定入力で指定されたサイズで、第２の指定入力で指定された面毎にディスプレイから表示する。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
本発明の第４の観点のグラフ作成装置は、第１の観点のグラフ作成装置において、付加情報はさらに、グラフのタイトル、グラフの軸の単位、およびデータの項目名のうちの少なくとも何れかを含む。
【手続補正５】
【補正対象書類名】明細書
【補正対象項目名】００２０
【補正方法】変更
【補正の内容】
【００２０】
本発明の第５の観点のグラフ作成装置は、第１の観点のグラフ作成装置において、付加情報の編集は、付加情報の内容の変更、書式の変更、および表示場所の変更を含む。
【手続補正６】
【補正対象書類名】明細書
【補正対象項目名】００２１
【補正方法】変更
【補正の内容】
【００２１】
本発明の第６の観点のグラフ作成装置は、第１乃至第５のうち何れかの観点のグラフ作成装置において、指定されたテンプレートと、テンプレートに関連付けられたデータテーブルと、データテーブルへ入力されたデータとを関連付けて、記憶装置に記憶する記憶制御部をさらに備えている。
【手続補正７】
【補正対象書類名】明細書
【補正対象項目名】００２２
【補正方法】変更
【補正の内容】
【００２２】
本発明の第７の観点のグラフ作成装置は、第６の観点のグラフ作成装置において、関連付けて記憶装置に記憶されたテンプレート、データテーブル、およびデータに基づいて、作成されたグラフを復元するグラフ復元部をさらに備えている。
【手続補正８】
【補正対象書類名】明細書
【補正対象項目名】００２３
【補正方法】変更
【補正の内容】
【００２３】
本発明の第８の観点のグラフ作成方法は、記事とともに面に掲載されるためのグラフを作成するグラフ作成方法であって、予め提供されている複数のグラフのおのおのに対応する各テンプレートを、ディスプレイから表示することによって、ユーザに、テンプレートの選択を促し、ユーザによって選択されたテンプレートを指定する第１の指定入力を受け取り、第１の指定入力によって指定されたテンプレートに関連付けられたデータテーブルを、ディスプレイから表示することによって、ユーザに、データテーブルへのデータの入力を促し、ユーザによって、データテーブルへ入力されたデータを受け取り、指定されたテンプレートに、データを反映してグラフを作成し、作成されたグラフを、グラフの付加情報とともにディスプレイから表示し、作成されたグラフを、ディスプレイから表示しながら、作成されたグラフのサイズ、および作成されたグラフが掲載される面を指定する第２の指定入力を含む前記付加情報を編集し、作成されたグラフを、第２の指定入力で指定されたサイズで、第２の指定入力で指定された面毎に前記ディスプレイから表示する。
【手続補正９】
【補正対象書類名】明細書
【補正対象項目名】００２４
【補正方法】変更
【補正の内容】
【００２４】
本発明の第９の観点のグラフ作成方法は、第８の観点のグラフ作成方法において、各テンプレートを、ディスプレイから表示することは、各テンプレートに対応するグラフのイメージを、ディスプレイから表示することを含む。
【手続補正１０】
【補正対象書類名】明細書
【補正対象項目名】００２５
【補正方法】変更
【補正の内容】
【００２５】
本発明の第１０の観点のグラフ作成方法は、第８または第９の観点のグラフ作成方法において、各テンプレートは、新聞記事に使用される定型的なグラフに対応するテンプレートを含む。
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】変更
【補正の内容】
【００２７】
本発明の第１１の観点のグラフ作成方法は、第８の観点のグラフ作成方法において、付加情報はさらに、グラフのタイトル、グラフの軸の単位、およびデータの項目名のうちの少なくとも何れかを含む。
【手続補正１３】
【補正対象書類名】明細書
【補正対象項目名】００２８
【補正方法】変更
【補正の内容】
【００２８】
本発明の第１２の観点のグラフ作成方法は、第８の観点のグラフ作成方法において、付加情報の編集は、付加情報の内容の変更、書式の変更、および表示場所の変更を含む。
【手続補正１４】
【補正対象書類名】明細書
【補正対象項目名】００２９
【補正方法】変更
【補正の内容】
【００２９】
本発明の第１３の観点のグラフ作成方法は、第８乃至第１２のうち何れかの観点のグラフ作成方法において、指定されたテンプレートと、テンプレートに関連付けられたデータテーブルと、データテーブルへ入力されたデータとを関連付けて、記憶装置に記憶する。
【手続補正１５】
【補正対象書類名】明細書
【補正対象項目名】００３０
【補正方法】変更
【補正の内容】
【００３０】
本発明の第１４の観点のグラフ作成方法は、第１３の観点のグラフ作成方法において、関連付けて記憶装置に記憶されたテンプレート、データテーブル、およびデータに基づいて、作成されたグラフを復元する。
【手続補正１６】
【補正対象書類名】明細書
【補正対象項目名】００３１
【補正方法】変更
【補正の内容】
【００３１】
本発明の第１７の観点のプログラムは、記事とともに面に掲載されるためのグラフを作成するためのプログラムであって、予め提供されている複数のグラフのおのおのに対応する各テンプレートを、ディスプレイから表示する機能、ディスプレイから表示された各テンプレートのうち、選択されたテンプレートを指定する第１の指定入力を受け取る機能、第１の指定入力によって指定されたテンプレートに関連付けられたデータテーブルを、ディスプレイから表示する機能、データテーブルへ入力されたデータを受け取る機能、指定されたテンプレートに、データを反映してグラフを作成する機能、作成されたグラフを、グラフの付加情報とともにディスプレイから表示する機能、作成されたグラフを、ディスプレイから表示しながら、作成されたグラフのサイズ、および作成されたグラフが掲載される面を指定する第２の指定入力を含む付加情報を編集する機能、作成されたグラフを、第２の指定入力で指定されたサイズで、第２の指定入力で指定された面毎に前記ディスプレイから表示する機能、をプロセッサに実現させるためのプログラムである。